【事件の表示】
　平成　９年特許願第３４２６６６号「画像処理装置」拒絶査定不服審判事件〔平成１１年　７月　２日出願公開、特開平１１−１７５６９９〕について、次のとおり審決する。
【結　論】
　本件審判の請求は、成り立たない。
【理　由】
１．手続きの経緯・本願発明
　本願は、平成９年１２月１２日に出願されたものであって、平成１５年５月１６日付けで拒絶の理由が通知され、これに対し平成１５年７月２２日付けで手続補正がなされ、平成１５年８月２２日付けで拒絶査定がなされ、これに対し平成１５年９月２５日に拒絶査定に対する審判請求がなされ、その後平成１５年１０月２３日に手続補正がなされたものである。
　
２．平成１５年１０月２３日付け手続補正についての補正却下の決定。
［補正却下の決定の結論］
　平成１５年１０月２３日付け手続補正を却下する。
［理由］
（１）補正後の本願発明
　平成１５年１０月２３日付けの手続補正により、特許請求の範囲の請求項１〜３は、
　
　「【請求項１】光学的な撮影によって得られた画像の画像データに所定の処理を施し、出力用の画像データとする画像処理装置であって、
　出力用の画像データを生成するために前記画像を読み取る本スキャンによって得られた高解像度画像の画像データ、および、前記本スキャンに先立って行われる前記画像を低解像度で読み取るプレスキャンによって得られた低解像度画像の画像データを取得する手段と、ディスプレイと、前記ディスプレイに、前記高解像度画像および／または前記低解像度画像を表示する表示手段と、前記表示手段によってディスプレイに表示された前記低解像度画像中の目を含む領域を指定する指定手段と、出力用画像データの前記指定手段によって指定された領域の目の色変換処理を行う赤目修正手段とを有し、かつ、前記表示手段が、前記赤目修正手段によって処理される前および／または後に、前記指定手段によって指定された領域の前記高解像度画像を前記ディスプレイに表示する手段を有し、
　さらに、前記表示手段、指定手段および赤目修正手段による前記処理の実行もしくは非実行を、モードとして選択する手段、撮影情報から自動決定する手段、および、選択指示する手段の少なくとも１つを有することを特徴とする画像処理装置。
【請求項２】前記モードとして処理の実行が選択された際に、撮影情報から前記処理の非実行を決定する手段を有する請求項１に記載の画像処理装置。
【請求項３】前記撮影情報が、ストロボ撮影の有無、被写体輝度、撮影距離、主要部の画面位置、レンズの焦点距離、カメラのタイプの少なくとも１つである請求項１または２に記載の画像処理装置。」
と補正された。
　
（２）補正の適否について
　平成１５年１０月２３日付け手続補正により、特許請求の範囲の請求項２は削除され、それと同時に特許請求の範囲の請求項３，４は、その項番号が２，３へと繰り上がり、
　そして、補正前の特許請求の範囲の請求項１
　「【請求項１】光学的な撮影によって得られた画像の画像データに所定の処理を施し、出力用
の画像データとする画像処理装置であって、
　出力用の画像データを生成するために前記画像を読み取る本スキャンによって得られた高解像度画像の画像データ、および、前記本スキャンに先立って行われる前記画像を低解像度で読み取るプレスキャンによって得られた低解像度画像の画像データを取得する手段と、ディスプレイと、前記ディスプレイに、前記高解像度画像および／または前記低解像度画像を表示する表示手段と、前記表示手段によってディスプレイに表示された前記低解像度画像中の目を含む領域を指定する指定手段と、出力用画像データの前記指定手段によって指定された領域の目の色変換処理を行う赤目修正手段とを有し、
　さらに、前記表示手段が、前記赤目修正手段によって処理される前および／または後に、前記指定手段によって指定された領域の前記高解像度画像を前記ディスプレイに表示する手段を有することを特徴とする画像処理装置。」
は、
　「【請求項１】光学的な撮影によって得られた画像の画像データに所定の処理を施し、出力用の画像データとする画像処理装置であって、
　出力用の画像データを生成するために前記画像を読み取る本スキャンによって得られた高解像度画像の画像データ、および、前記本スキャンに先立って行われる前記画像を低解像度で読み取るプレスキャンによって得られた低解像度画像の画像データを取得する手段と、ディスプレイと、前記ディスプレイに、前記高解像度画像および／または前記低解像度画像を表示する表示手段と、前記表示手段によってディスプレイに表示された前記低解像度画像中の目を含む領域を指定する指定手段と、出力用画像データの前記指定手段によって指定された領域の目の色変換処理を行う赤目修正手段とを有し、かつ、前記表示手段が、前記赤目修正手段によって処理される前および／または後に、前記指定手段によって指定された領域の前記高解像度画像を前記ディスプレイに表示する手段を有し、
　
さらに、前記表示手段、指定手段および赤目修正手段による前記処理の実行もしくは非実行を、モードとして選択する手段、撮影情報から自動決定する手段、および、選択指示する手段の少なくとも１つを有する
と補正された。
　以上によれば、平成１５年１０月２３日付けの手続補正は、補正前の請求項２を削除するための補正であり、そして補正前の請求項１に記載された発明を特定するために必要な事項を明確にするための補正であるから、特許法１７条の２第４項第１号の特許請求の範囲の請求項の削除を目的とするものに該当し、そして、特許法１７条の２第４項第２号の特許請求の範囲の減縮を目的とするものに該当する。
　そこで、平成１５年１０月２３日付けの手続補正後の請求項１に記載された発明（以下、「本願補正発明」という。）
　「【請求項１】光学的な撮影によって得られた画像の画像データに所定の処理を施し、出力用の画像データとする画像処理装置であって、
　出力用の画像データを生成するために前記画像を読み取る本スキャンによって得られた高解像度画像の画像データ、および、前記本スキャンに先立って行われる前記画像を低解像度で読み取るプレスキャンによって得られた低解像度画像の画像データを取得する手段と、ディスプレイと、前記ディスプレイに、前記高解像度画像および／または前記低解像度画像を表示する表示手段と、前記表示手段によってディスプレイに表示された前記低解像度画像中の目を含む領域を指定する指定手段と、出力用画像データの前記指定手段によって指定された領域の目の色変換処理を行う赤目修正手段とを有し、かつ、前記表示手段が、前記赤目修正手段によって処理される前および／または後に、前記指定手段によって指定された領域の前記高解像度画像を前記ディスプレイに表示する手段を有し、
　さらに、前記表示手段、指定手段および赤目修正手段による前記処理の実行もしくは非実行を、モードとして選択する手段、撮影情報から自動決定する手段、および、選択指示する手段の少なくとも１つを有することを特徴とする画像処理装置。」
が、特許出願の際独立して特許を受けることができるものであるか、すなわち平成１５年改正前特許法第１７条の２第５項において準用する同法第１２６条第４項の規定に適合するかどうかについて以下に検討する。
　
（３）引用例
　原査定の拒絶の理由に引用された特開平８−５５２３２号公報（平成８年２月２７日出願公開。以下、「引用例１」という。）には、図面と共に次の各記載がある。
　
（ア）「【０００１】
【発明の属する技術分野】本発明は使用者により選択された
デジタル画像の区域に機能を適用するシステムに関し、より詳細には使用者にデジタル画像に適用された窓を制御させ、その窓により割り当てられた画像の部分にアーティファクト除去機能を適用させうるシステムに関し
処理すべき画像の部分を使用者に明確に識別させうる
【０００２】
【従来の技術】
簡単で安価なカメラを用いているアマチュア写真家は追加のコピーを得たい又は引伸ししたいと思う写真をしばしば持っている
これらの写真は対象の目がその中に赤い点を有するように現れる「赤目」と呼ばれる現象のような元の画像取り込み欠陥と同様に取扱により生じた傷、ほこり、他の欠陥を含みうる。そのような欠陥は画像が引き延ばされた時に特に顕著に現れる。これとおなじ問題は元のネガが写真家により保有され焼増し又は引伸しに用いられる時にも生ずる
【０００３】
アマチュア写真家により高品質の焼き増し（ｒｅｐｒｏｄｕｃｔｉｏｎ）を提供するために地域のプリントショップのオペレーターはアーティファクト（赤目、ごみ等々）を有する画像の局所領域をより容易かつ迅速に識別し、それからそのオペレーターにより特定された領域のみに補正を加えることができる必要がある
【０００４】補正機能の限定された適用は、その機能がアーティファクトを検出し除去するのにより積極的であればあるほどそれは誤った検出及び失敗（誤った補正）をしがちであるというそのような画像処理補正機能の性質により必要とされる。この問題に対する解決策はオペレーターが正確に識別し、それに続いてデジタル画像の配置された領域に対して機能を拘束するようにさせることを許容するユーザーインターフェイス技術を用いることである。
【０００５】拘束技術はグラフィカルユーザーインターフェイス、ウインドウシステム、ポインティング装置（コンピュータマウス、ペン等々）の使用を介してコンピュータ上で実施されてきた。典型的にはポイント型の位置表示器はオペレーターにアプリケーションがオペレーターが指示していると「考える」ところをオペレーターに示すようコンピュータスクリーン上に表示される。ここからアプリケーションは配置された領域に適用される。しかしながらアプリケーションは位置表示器（十字線）を囲む領域の大きさをまた知っていなければならない。これは典型的にはブラシの大きさ及び／又は形状を選択すること又は問題の領域を囲む境界を描くことによりなされる。しかしながらこれらの広く用いられている技術は全てコンピュータ操作及びアプリケーションインターフェイスの基礎的な知識を必要とする。更にまたユーザーは位置表示器のみの区域の大きさを見ない。
【０００６】プロフェッショナルイメージプレミアシステム及びコンシューマーイメージクリエートイットソフトウエアはイーストマンコダック社の二つの例である。最初のシステムはデジタル画像アプリケーションの分野での高度に熟練したオペレーターに対して意図されている。二番目のシステムは熟練したコンピュータオペレーターにより用いられることを意図されたソフトウエアパッケージである。しかしながらユーザーインターフェイスは上記のコンピュータアプリケーション知識のあるレベルを想定している。
【０００７】必要とされているのはコンピュータアプリケーション知識のどんなレベルも要求されないシステムである。
【０００８】
【発明が解決しようとする課題】
本発明の目的はどのようにしてコンピュータアプリケーションが作動するかについてのいかなる知識も必要とせずにユーザーがアーティファクト除去機能を画像に適用することを許容する画像処理システムを提供することにある。本発明の他の目的はユーザーがディスプレー上で画像に触れることにより処理されるべき画像の一部分を識別することを許容するシステムを提供することにある
【０００９】
本発明のまた他の目的はユーザーに可視的な画像の領域はアーティファクト処理機能が適用される領域であるシステムを提供することにある
本発明の付加的な目的は見るものが処理するものであるシステムを提供することにある
【００１０】
本発明の更に他の目的は消費者のような訓練されていない未熟練のオペレーターにより操作されうるシステムを提供することにある
【００１１】
【課題を解決するための手段】
上記目的はユーザーが写真家から供された写真又はネガ画像を走査することを許容するシステムにより達成されうる
得られた画像は接触感応ディスプレー上に表示される。ユーザーは窓を用いて処理すべき領域を割り当てるために画像の特定の部分にパンし、それをズームしうる。窓はなにが窓に含まれているかのみを示す。窓内のユーザーにより見られる画像の部分はユーザーが画像に適用されるべきである機能を示したときに処理される。いったん処理が完了すると補正された画像がプリントされうるか又はそうでなければ焼き増しされる
　
（イ）「【００１２】
【発明の実施の形態】以下に類似の部分は同じ番号で示す図を参照して本発明の構成及び動作の詳細から明らかになる本発明の他の目的及び利点ををより詳細に説明する。
本発明は好ましくはイーストマンコダック社のイマジックマジックプリントシステムで実施されるデジタルプリントシステム（ＤＰＳ）用のユーザーインターフェイスの一部として実施される
ＤＰＳはコンピュータ又は現像・焼き付け・引き伸ばしの訓練を受けていない熟練していない小売店の店員により操作されるよう意図された写真焼き増し装置である。ＤＰＳは例えばアップルマッキントッシュ上で実行されるアドビフォトショップのようなコンピュータ上で実行される画像処理アプリケーションと同じデジタル画像処理機能の多くをなす。ＤＰＳはユーザーインターフェイスとしてタッチスクリーンオーバーレイを有する陰極線管球（ＣＲＴ）ディスプレーを用いる。タッチスクリーンユーザーインターフェイスはオペレーターを助けるテキスト及びグラフィカルアイコンを表示するメカニズムを設ける
【００１３】本発明はＣＲＴ上に表示された画像（窓を付けられた）の部分はその配置された区域に適用された補正機能を有しうるデジタル画像がＣＲＴ上に表示され、該画像がパン及びズームされる技術を含む。表示中に画像を操作する処理はそのときに表示された区域の「知識」（窓の大きさ及び位置）を維持し、この情報を実際に補正又はアーティファクト除去機能をなす処理に供する。
【００１４】
本発明はユーザーがズーム及びパンする表示と対話するときに図１の（Ａ）乃至（Ｄ）により図示されるようにＣＲＴ上でユーザーに表示画像１０を提供する
これらの図は典型的な対話中にユーザーが見るものの典型的な順序を示す
対応する図２の（Ａ）乃至（Ｄ）には本発明が元の画像上のビューポートをどのようにして操作し、ユーザーがディスプレーで対話する時のそれのディスプレー上の窓との関係をどのようにして操作するのかを示す
【００１５】
表示画像１０（図１（Ａ））はズームイン（ＩＮ）１２、ズームアウト（ＯＵＴ）１４、パン（ＰＡＮ）１６、適用（ＡＰＰＬＹ）１８、アンドウ（ＵＮＤＯ）２０に対するタッチ制御「ボタン」を含む
図１の（Ａ）で窓２２はデジタル的に走査され対象２４として人の絵を含む写真の完全な画像を示す
ユーザー（図示せず）は典型的にはほこりや「赤目」のようなアーティファクトに対して画像をチェックすることを望む。これをするためにユーザーは対象２４の目又は画像内のほこりの点に対してズームイン及びパンする必要がある。図１の（Ａ）にユーザーがズームイン制御１２をすでに触れ、「＊」により示される点２６で画像に触れるのを示す。図２の（Ａ）に表示された画像１０を供するＣＲＴディスプレーに接続されたコンピュータ内の元の画像の対応するデジタル表現３０を示す。画像が最初にスキャナーからコンピュータ内にロードされたときに元画像３２はビューポート３４と同じ大きさであり、表示画像１０はディスプレー窓２２内の元画像３２全体を含む
【００１６】
ズームイン及びタッチ動きの後に図１の（Ａ）に示された動作は図１の（Ｂ）に示されるようにディスプレー窓２２が元画像の拡大され、シフトされた（パンされた）バージョンを描く。図示されているように図１の（Ａ）にタッチポイント２６により示された画像上の点はディスプレー窓２２の中心に動かされ、画像は所定の量だけズームインされる。即ち、パン及びズーム操作の両方は元画像３２上でなされる。ビューポート３４は図２の（Ｂ）に示されるようにユーザーにより示されたパン及びズームの操作に対応するように再び大きさを決められ、元画像３２内でシフトされる。図１の（Ｂ）のディスプレー窓２２を図２の（Ｂ）に示されたメモリーと視覚的に比較することによりわかるように、ビューポート３４はディスプレー窓２２内に実際に表示される元画像３２の部分を画成する。即ちビューポート３４により示された元画像３２の一部分のみが窓２２内で可視的であるということである
【００１７】
図１の（Ｂ）にはまたユーザーがなされるべき次の操作としてパン１６を選択し、写真の対象２４の目の一つに対応してタッチポイント２７で画像に接触したのを示す。図１の（Ｂ）に示されているパン操作がいったんなされると表示画像１０とメモリー表示３０とは図１の（Ｃ）、図２の（Ｃ）に示されるように変化する。ビューポート３４は元の画像３２に比べてなお同じ大きさにとどまるように見えるが図１の（Ｂ）のタッチポイント２７がビューポート３４の中心になるように動かされるので、その結果表示画像１０の窓２２の中心にある
【００１８】
図１の（Ｃ）にはユーザーがなされるべき次の操作としてズームイン１２を選択し、タッチポインタ２８で同じ目を指示する。これにより図１の（Ｄ），図２の（Ｄ）に示されるように元画像３２内のビューポート３４の中心点にシフトせずに再び大きさを決められたビューポート３４が結果として得られる。図１の（Ｄ）に示されているように対象２４の目の一つは窓２２の中心に位置し、ビューポート３２はまたそこでは目の周りの区域のみがビューポート３４内にあるように画成される大きさであるように目を中心にされる。ここでユーザーは「赤目」状態が窓２２内に示される目の中に存在するかどうかを判断する。状態が存在する場合にはユーザーは適用ボタン１８に接触することによりアーティファクト状態を補正する従来技術の処理を動作させうる。これは処理された窓２２内でユーザーが見た元画像３２の部分内（ビューポート３４により画成されるように）に得られ、即ち見たものが処理されるものである。結果が満足できないものである場合にはユーザーは補正をアンドウ２０し、画像を元の状態に戻すことが可能である
【００１９】
いったん画像のこの部分が満足である場合にはユーザーが更なる補正をなすために「ズームアウト」操作１４及びパン１６を動作させうる。いったん全ての補正がなされるとユーザーは表示画像１０上のプリント「ボタン」２４（図１の（Ｄ））に接触し、写真家のために結果をプリントしうる
【００２０】
図１の（Ａ）乃至図２の（Ｄ）に示された操作をなすよう実行される処理は図３に示されるようにシステム４０内でなされる
【００２１】本発明は三つの全体的な段階を含む。
第一は表示窓２２内の元画像全体を表すために画像データの適切なサブセットを得るよう取り込まれた画像をサブサンプルする
例えば４インチｘ６インチの元の写真のインチ当たり３００サンプル（ｓｐｉ）の元画像走査は１２００ｘ１８００サンプルのデジタル画像を結果として生ずる。ＣＲＴが６００ｘ８００画素を窓２２に対してそのそばで４００ｘ６００画素のみで生成するＶＧＡ形式のディスプレーの場合には元データは三つの元画素で各寸法（水平及び垂直）内の各ディスプレー画素に対して３：１の周波数でサブサンプルされるべきである
【００２２】
第二の段階は元の画像データをサブサンプルし、選択された操作及び示されたタッチポイントによりオペレーター又はユーザーにより指示されるようにそれを表示することである
サブサンプリング周波数は設計されたズーム操作に依存し、ビューポート３４の最大きさ決め及び動きの結果により変化する。ズームアウト操作に対してはサブサンプリング周波数は増加し、ズームイン操作に対してはサブサンプリング周波数は減少する
１５％のズームインが生ずると、サブサンプリング周波数は３つの元の画素からそれぞれ２つの表示画素を結果として生ずる３：１から３：２に変化する
この第二の段階はオペレーターが元の画像内の問題の領域を識別するまで繰り返される
【００２３】
第三の段階は選択された画像処理機能を窓２２内に表示され、ビューポート３４により指示される現在の領域に基づいて元画像データの領域に適用することである
これは従来の「赤目」、ほこり、しわ、傷等々の除去を可能にする
システムは適切な周波数で元画像３２をサブサンプルし、窓２２内に画像を表示する
ここでビューポート幅ＶＷは元画像の幅ＳＷとして設定され、ビューポート高さＶＨは元画像の高さＳＨとして設定され、ビューポートの上左Ｘ，Ｙ座標ＶＸ，ＶＹは元画像３２の上左Ｘ，Ｙ座標ＶＸ，ＶＹとして設定され、タッチポイント位置ＴＸ，ＴＹは表示窓２２の中心に設定され、表示窓２２の幅ＤＷ及び高さＤＨはこれがＶＧＡディスプレーの上記例で６００ｘ４００である
ユーザーはズーム係数ＺＦを６８に設定することを許容され、これは好ましくは２５％のような値にデフォルトで設定される。それからシステムは６９でズーム状態をズームインに設定する。いったん処理設定が完了するとシステムはユーザーがディスプレー４６のタッチスクリーンに接触するのを待つ待ち状態７０に実質的に入る
【００２４】画像が接触された場合にはシステムは７２をズーム状態に決定する。ズーム状態が「パン」である場合にはシステムは以下のようにパン調節をなす：
　VX'=(TX/DW)*VW+VX-(VW/2)　　　　(1)
　VY'=(TY/DH)*VH+VY-(VH/2)    　　(2)
ここでＶＸ’，ＶＹ’はビューポート３４の新たな左上座標であり、次のサイクルでＶＸ，ＶＹを置き換える。パン操作計算の間にＶＸ，ＶＹ，ＶＷ，ＶＨにより決定される元画像のビューポート３４の縁は元画像３２の縁に対する座標と比較され、パンの動きが元画像３２の縁を過ぎるようにビューポート３４の縁を動かし、座標ＶＸ．ＶＹはビューポート３４の縁を元画像３２の縁上に位置するように調節される。
即ち、ビューポート３４は元画像３２を立ち去ることは許容されず、それにより窓２２を通してみた元画像３２は常に窓２２を満たす。これは「見たものは処理される」対象であることを維持する。元画像はサブサンプルされ、サブサンプルされた画像は窓２２内で表示７６される。元画像３２内のサブサンプリング開始点はＶＸ’，ＶＹ’により決定され、周波数は窓２２と比較したビューポート３４の相対的大きさにより制御される。パンのみの操作ではサブサンプリング周波数は以前のサイクル内でと同じままである
【００２５】ズーム状態が「イン」である場合にはビューポート３４は以下のように調節される７８：
　VW'=VW*ZF　　　　　　　　　　　　　　(3)
　VH'=VH*ZF　　　　　　　　　　　　　　(4)
ここでＶＷ’、ＶＨ’は新たなビューポート幅及び高さである。この調節中にビューポート３４の左上の座標は式(3)、(4)により決定されたビューポート幅及び高さを用いて式(1)、(2)によりまた計算される。ズーム状態が「アウト」である場合にはビューポート３４は以下のように調節される８０：
　VW'=VW*(1/ZF)　　　　　　　　　　　　　(5)
　VH'=VH*(1/ZF)　　　　　　　　　　　　　(6)
ここで再びビューポートの大きさ調節は式(1)、(2)を用いた開始点座標の調節による。段階７４、７８又は８０の終わりでは元画像上のビューポート３４のオフセット及び大きさは記憶され、即ち左上座標ＶＸ，ＶＹ及びビューポート大きさパラメーターＶＷ，ＶＨは記憶され、それに続く動きのサイクル内での後での修正又はオペレーターが適用ボタン１８二接触した場合に対してこれらのパラメーターはアーティファクト処理アルゴリズムへ転送される必要がある。ビューポート大きさ及び位置調節の後でシステムは適切な周波数で元画像３２をサブサンプルし、上記のように窓２２内でサブサンプルされた画像を表示７６する。
【００２６】ユーザーがディスプレー１０上のパン１６、イン１２又はアウト１４「ボタン」に接触した場合にはシステムは８２、８４又は８６に適切なパラメーターを設定し、待ち状態に戻る。ユーザーがズーム係数調節ボタン（図示せず）に接触した場合にはシステムはユーザーが異なるズーム係数を選択することを許容する。
ユーザーが適用機能（「ボタン」１８）を選択した場合にはシステムはビューポート３４により割り当てられた元画像３２の内容をセーブ８８し、アーティファクト除去アルゴリズム制御パラメーターとしてビューポート３４の左上座標ＶＸ，ＶＹ及びビューポート大きさＶＷ，高さＶＨを用いることにより選択された機能をビューポート３４により割り当てられた元画像３２の部分に適用する。それから処理された画像はユーザーによるレビューに対してサブサンプルされ、表示される７６
オペレーターは他の部分又は元画像全体を参照してアーティファクト除去の効果を見るために望むようにズームアウト、イン又はパンすることができる。ユーザーが結果に満足できない場合にはアンドウ機能を選択し、上記の元画像のセーブされた内容は元画像３２に復元され、画像は再びサブサンプルされ、表示７６される
【００２７】ユーザーがプリント操作（「ボタン」２４）を選択したときにはシステムは全体の画像のプレビューを形成し、画像が受け入れ可能な場合には、該画像はプリントされる。プレビュー段階でユーザーは８インチｘ１０インチ又は３インチｘ５インチのような特定の出力画像フォーマットを特定することを許容され、システムはオペレーターに出力フォーマットにフィットするように望むように画像を切り取ることを許容する。これは選択されたフォーマットの縦横比に合うように窓２２及びビューポート３４の縦横比を変更し、それからオペレーターに上記のように所望の切り取られた画像が窓２２内に表示されるまでパン及びズームを許容することにより「見るものが得られるものである」ようになされうる。画像の切り取り中にビューポート３４により画成された画像の部分は元画像３２の解像度及びプリントに用いられるプリンターの解像度により制御されるように適切な周波数でサブサンプルされる。」
　なお、下線は、審決において付された。以下、同様。
　
　以上の記載から見て、引用例１には、次のような発明が記載されているものと認められる。
　
　「写真又はネガ画像をスキャナー４２により走査し、得られたデジタル画像２４をコンピュータ４４の記憶装置にロードすると、ビューポート３４の大きさは、元画像３２と同じ大きさに設定され、デジタル画像２４は、ビューポート３４と同じ大きさでディスプレイ４６の窓２２に表示され、次に、該表示された対象画像２４、例えば人物像の目に赤目等のようなアーチファクトがあるか否かを判断するために、オペレータは、ディスプレイ４６上において、対象画像２４の目の１つ、例えば左目の近傍にタッチポイント２６を指定し、該ポイント２６に触れると同時にディスプレイ４６のズームインスクリーンボタン１２を選択して対象画像をズームイン処理すると、ビューポート３４の大きさは、該ズームイン処理に応じて小さくなり、その中心は、タッチポイント２６に設定され、それに伴い元画像３２をサブサンプリングすることによりビューポート３４と同じ大きさにされた低解像度のズームイン画像２４はディスプレイ４６の窓２２に拡大表示され、次に、左目を含む該ズームインされた画像２４が、ディスプレイ窓２２に正確に入りきらずに、ずれた状態で表示された場合は、オペレータは、ディプレイ４６上において、ズームインされた画像の左目の位置をタッチポイント２７として指定し、該ポイント２７に触れると同時にディスプレイ４６のパンスクリーンボタン１６を選択すると、ビューポート３４は、その大きさを変えずに、タッチポイント２７を中心とする位置に移動し、それに伴いズームインされた画像２４は左目がディスプレイ窓２２の中心に位置するようにシフトされ、ディスプレイ４６の窓２２に表示され、次に、オペレータは、ディスプレイ４６において、先に指定した左目の位置をタッチポイント２８として再び指定し、該タッチポイント２８に触れると同時にズームインスクリーンボタン１２を選択して、左目を含むズームインされた画像が再度ズームインされるように制御すると、ビューポート３４の大きさは更に小さくなり、その中心は左目にあり、左目の周りの区域のみがビューポート３４内にあるようにされ、それに伴い元画像３２をサブサンプリングすることにより更に拡大された低解像度の左目の周りの区域がディスプレイ４６の窓２２の中央に表示されるようにされ、次に、オペレータは、赤目状態が窓２２に示される左目の中に存在するか否かを判断し、もし赤目状態が存在する場合には、ディスプレイ４６の適用スクリーンボタン１８を選択して、赤目のアーチファクト状態を解消するようにし、そして、オペレータは、他の部分又は元画像全体を参照してアーティファクト除去の効果を見るために望むようにズームアウト、ズームイン又はパンすることができるようにされた窓を用いてデジタル画像の配置された区域に機能を適用する方法及び装置。」
　
（４）対比
　本願補正発明と引用例１に記載された発明とを対比すると、引用例１に記載された発明の「スキャナ４２」は、本願補正発明の「高解像度の画像データを取得する手段」に相当し、引用例１に記載された発明の「スキャナ４２により写真又はネガ画像を走査して読み取ること」は、本願補正発明の「本スキャン」に相当し、引用例１に記載された発明の「ディスプレイ４６」は、本願補正発明の「ディスプレイ及び表示手段」に相当し、引用例１に記載された発明の「目の周りの区域」は、本願補正発明の「目を含む領域」に相当し、引用例１に記載された発明の「タッチポイント２６，２７，２８を指示する手段、ズームインスクリーンボタン１２，ズームアウトスクリーンボタン１４，パンスクリーンボタン１６，及びビューポート３４」は、本願補正発明の「目を含む領域を指定する手段」に相当し、引用例１に記載された発明の「適用スクリーンボタン１８を選択・タッチすることにより、赤目等のアーチファクト状態を補正する手段」は、本願補正発明の「目の色変換処理を行う赤目修正手段」に相当し、引用例１に記載された発明の「赤目等のアーチファクト状態を補正する処理の実行もしくは非実行を選択指示する適用スクリーンボタン１８」は、本願補正発明の「目の色変換処理の実行もしくは非実行を選択指示する手段」に相当することは、明らかである。
　そして、引用例１には、先ず、写真又はネガ画像をスキャナー４２により走査し、得られたデジタル画像２４をコンピュータ４４の記憶装置にロードすると、ビューポート３４の大きさは、元画像３２と同じ大きさに設定され、デジタル画像２４は、ビューポート３４と同じ大きさでディスプレイ４６の窓２２に表示され、
　次に、該表示された対象画像２４、例えば人物像の目に赤目等のようなアーチファクトがあるか否かを判断するために、オペレータは、ディスプレイ４６上において、対象画像２４の目の１つ、例えば左目の近傍にタッチポイント２６を指定し、該ポイント２６に触れると同時にディスプレイ４６のズームインスクリーンボタン１２を選択してズームイン制御を実行し対象画像をズームイン処理すると、ビューポート３４の大きさは、該ズームイン処理に応じて小さくなり、その中心は、タッチポイント２６に設定され、それに伴い元画像３２をサブサンプリングすることによりビューポート３４と同じ大きさの低解像度のズームイン画像２４はディスプレイ４６の窓２２に拡大表示され、
　次に、左目を含む該ズームインされた画像２４が、ディスプレイ窓２２に正確に入りきらずに、ずれた状態で表示された場合は、オペレータは、ディプレイ４６上において、ズームインされた画像の左目の位置をタッチポイント２７として指定し、該ポイント２７に触れると同時にディスプレイ４６のパンスクリーンボタン１６を選択すると、ビューポート３４は、その大きさを変えずに、タッチポイント２７を中心とする位置に移動し、それに伴いズームインされた画像２４は左目がディスプレイ窓２２の中心に位置するようにシフトされ、ディスプレイ４６の窓２２に表示され、
　次に、オペレータは、ディスプレイ４６において、先に指定した左目の位置をタッチポイント２８として再び指定し、該タッチポイント２８に触れると同時にズームインスクリーンボタン１２を選択して、左目を含むズームインされた画像が再度ズームインされるように制御すると、ビューポート３４の大きさは更に小さくなり、その中心は左目にあり、左目の周りの区域のみがビューポート３４内にあるようにされ、それに伴い元画像３２をサブサンプリングすることにより更に拡大された低解像度の左目の周りの区域がディスプレイ４６の窓２２の中央に表示されるようにされ、
　次に、オペレータは、赤目状態が窓２２に示される左目の中に存在するか否かを判断し、もし赤目状態が存在する場合には、ディスプレイ４６の適用スクリーンボタン１８を選択して、赤目のアーチファクト状態を解消するようにし、
　そして、オペレータは、他の部分又は元画像全体を参照してアーティファクト除去の効果を見るために望むようにズームアウト、ズームイン又はパンすることが記載されているから、本願発明と引用例１に記載された発明とは、
（一致点）
　「光学的な撮影によって得られた画像の画像データに所定の処理を施し、出力用の画像データとする画像処理装置であって、
　出力用の画像データを生成するために前記画像を読み取る本スキャンによって得られた高解像度画像の画像データを取得する手段と、ディスプレイと、前記ディスプレイに、前記高解像度画像および／または低解像度画像を表示する表示手段と、前記表示手段によってディスプレイに表示された前記低解像度画像中の目を含む領域を指定する指定手段と、出力用画像データの前記指定手段によって指定された領域の目の色変換処理を行う赤目修正手段とを有し、
　さらに、前記表示手段、指定手段および赤目修正手段による前記処理の実行もしくは非実行を、選択指示する手段を有する画像処理装置。」
である点で一致し、次の点で相違する。
　
（相違点１）
　本願補正発明が、本スキャンに先立ってプレスキャンを行い、プレスキャンによって得られた低解像度の画像を用いて目を含む領域を指定しているのに対し、
　引用例１に記載された発明は、本スキャンによって高解像度の画像を取得し、該高解像度の画像から低解像度の画像を生成し、この画像を用いて目の周りの区域を指定している点。
　
（相違点２）
　本願補正発明が、赤目修正手段によって処理される前および／または後に、指定手段によって指定された領域の高解像度画像をディスプレイに表示しているのに対し、
　引用例１に記載された発明は、赤目等のアーチファクト状態を補正する手段によって処理される前および後に、ビューポート３４により指定された領域の高解像度画像をサブサンプリングしてディスプレイ４６の窓２２に表示している点。
　
（相違点３）
　本願補正発明が、目の色変換処理の実行もしくは非実行を、選択指示する手段を有し、該手段の他に更に、モードとして選択する手段、および、撮影情報から自動決定する手段をも有しているのに対し、
　引用例１に記載された発明は、赤目等のアーチファクト状態を補正する処理の実行もしくは非実行を、選択指示する手段すなわち適用スクリーンボタン１８を有するものではあるが、該手段の他に更に、モードとして選択する手段、および、撮影情報から自動決定する手段をも有するとは明記しない点。
　
（５）当審の判断
（相違点１について）
　前記相違点１について判断するに、本スキャンに先立ってプレスキャンを行い、該プレスキャンにより得られる低解像度の画像を用いて、読取エリアの確定を行うこと、及び所望の画像区域を指定すること等は、原審の拒絶査定時の拒絶の理由に引用された特開平９−２４７３１４号公報、そして原審の拒絶の理由に引用された特開平６−３２５１６５号公報及び特開平３−２５０２１６号公報にその旨の記載があるように、画像処理の技術分野においては、当業者には周知な技術事項及び技術思想であり、該周知な技術事項及び技術思想を引用例１に記載された発明に適用して本願発明の如く、本スキャンに先立つプレスキャンによって得られる低解像度の画像を用いて目を含む領域を指定するようにすることは、当業者が適宜なし得ることである。
　
（相違点２について）
　相違点２について判断するに、引用例１に記載された発明が、ビューポート３４により指定された領域の高解像度の画像をサブサンプリングしてから表示するのは、ビューポート３４により切り取られた高解像度の画像を、ディスプレイ４６の窓２２の大きさにまでズームインすなわち拡大した後、ディスプレイ窓２２一杯に表示するためであるが、ビューポート３４により切り取られた高解像度の画像を拡大することなくそのままの大きさで、ディスプレイ４６に表示するのであれば、サブサンプリングする必要がないことは明白である。そして、ディスプレイ４６に、ビューポート３４により切り取られたままの大きさで表示するか、又は拡大した後表示するかは当業者の微細な設計事項程度のことであるから、本願補正発明の如く、指定手段によって指定された領域の高解像度画像をそのままの状態でディスプレイに表示することは、当業者が適宜なし得ることである。
　
（相違点３について）
　前記相違点３について判断するに、
(i)赤目処理の実行もしくは非実行を、撮影情報から自動決定する手段は、原審の拒絶の理由に引用された特開平５−２２４２７１号公報及び特開平９−２６１５８０号公報にその開示があるように当業者には周知であり、
(ii)また、情報処理や画像処理の技術分野においては、アイコンやメニュー等を用いて、処理すべき事項をモードとなし、オペレータがその処理の実行もしくは非実行をモードとして選択することは、通常行われている技術常識であるから、以上の(i)及び(ii)に示される事項に鑑みれば、引用例１に記載された発明に前記周知技術及び技術常識を転用して本願補正発明の如く、指定された領域の目の色変換処理の実行もしくは非実行を、モードとして選択する手段、および、撮影情報から自動決定する手段を設けるようにすることは、当業者が適宜なし得ることである。
　
（６）むすび
　以上のとおり、本願補正発明は、特許法第２９条第２項の規定により特許出願の際、独立して特許を受けることができるものではなく、特許法第１７条の２第５項で準用する同法１２６条第４項の規定に違反するものであるから、平成１５年１０月２３日付けの手続補正は、平成１５年改正前特許法第１５９条第１項で準用する同法第５３条第１項の規定により却下すべきものである。
　
３．本願発明について
　平成１５年１０月２３日付けの手続補正は、前記のとおり却下されるから、本願の特許請求の範囲の請求項１に係る発明（以下、「本願発明」という。）は、平成１５年７月２２日付けの手続補正により補正された特許請求の範囲の請求項１に記載された次のとおりのものである。
　
　「【請求項１】光学的な撮影によって得られた画像の画像データに所定の処理を施し、出力用の画像データとする画像処理装置であって、
　出力用の画像データを生成するために前記画像を読み取る本スキャンによって得られた高解像度画像の画像データ、および、前記本スキャンに先立って行われる前記画像を低解像度で読み取るプレスキャンによって得られた低解像度画像の画像データを取得する手段と、ディスプレイと、前記ディスプレイに、前記高解像度画像および／または前記低解像度画像を表示する表示手段と、前記表示手段によってディスプレイに表示された前記低解像度画像中の目を含む領域を指定する指定手段と、出力用画像データの前記指定手段
によって指定された領域の目の色変換処理を行う赤目修正手段とを有し、
　さらに、前記表示手段が、前記赤目修正手段によって処理される前および／または後に、前記指定手段によって指定された領域の前記高解像度画像を前記ディスプレイに表示する手段を有することを特徴とする画像処理装置。」
　
（１）引用例
　原査定の拒絶の理由に引用された引用例、及びその記載事項は、前記「２．の（３）」項に記載したとおりである。
　
（２）対比・判断
　本願発明は、前記「２．」項で検討した本願補正発明からその限定事項である「さらに、前記表示手段、指定手段および赤目修正手段による前記処理の実行もしくは非実行を、モードとして選択する手段、撮影情報から自動決定する手段、および、選択指示する手段の少なくとも１つを有する」を省いたものである。
　そうすると、本願発明を特定する事項をすべて含み、さらに他の特定する事項を付加したものに相当する本願補正発明が、前記「２．の（５）」項に記載したとおり、引用例１に記載された発明及び周知技術とに基づいて当業者が容易に発明をすることができたものであるから、本願発明も、同様の理由により、引用例１に記載された発明及び周知技術とに基づいて当業者が容易に発明をすることができたものである。
　
（３）むすび
　以上のとおり、本願発明は、引用例１に記載された発明及び周知技術に基づいて当業者が容易に発明をすることができたものであり、特許法第２９条第２項の規定により特許を受けることができないものであるから、他の請求項について検討するまでもなく、本願は、特許を受けることができない。
　よって、結論のとおり審決する。